(57)【要約】【課題】気密性を検査するためのリーク検査時にシール部材の本来の気密性を検査することができるシール構造及びそれを備えたコネクタ付属電気部品を提供すること。【解決手段】コネクタ本体１４のフランジ面２１上にシール部材３に向けて延在するリブ２２を配設するとともに、ケース部材２の凹部２ｃの底面２３上でシール部材３に向けて延在するリブ２４を配設する。コネクタ本体１４のフランジ面２１とシール部材３の一方の側面との間又はケース部材２の底面２３とシール部材３の他方の側面が密着して気密性確保の機能を持たないようにするので、リーク検査時にシール不良を確実に検出することができる。【選択図】図３
2007220420.tif 000002
【特許請求の範囲】
【請求項１】
部材本体から突出する筒部及び前記筒部の外側に延在するフランジ面を有する第１部材と、前記フランジ面に当接する先端筒部及び前記先端筒部の内側に形成された凹部を有する第２部材と、前記第１部材の前記筒部上に前記第２部材の前記先端筒部が係合する際に、前記筒部の外面、前記筒部の前記フランジ面、前記先端筒部の内面及び前記凹部の底面で構成された領域に配置されたシール部材と、を具備し、前記フランジ面及び前記凹部の底面の少なくとも一方から前記シール部材に向けて突出部が延在し、前記シール部材を前記筒部の外面と前記先端筒部の内面とで圧縮させることにより気密性を確保することを特徴とするシール構造。
【請求項２】
前記フランジ面と前記突出部の先端との間の距離、前記凹部の底面と前記突出部の先端との間の距離、又は前記突出部間の距離は、前記シール部材の幅よりも広いことを特徴とする請求項１記載のシール構造。
【請求項３】
雄端子と、プリント配線板と、前記雄端子の一方の端部が延在する雄端子収納筒部及び前記雄端子の他方の端部とプリント配線板との間の接合部が内部に位置する接合部収納筒部を備えたコネクタ本体と、前記コネクタ本体の前記接合部収納筒部の外側に配置されたシール部材と、前記シール部材を介して前記接合部収納筒部の外側に取り付けられたケース部材と、を具備するコネクタ付属電気部品であって、前記コネクタ本体は、前記接合部収納筒部の外側に延在するフランジ面を有し、前記ケース部材は、前記フランジ面に当接する先端筒部及び前記先端筒部の内側に形成された凹部を有し、前記シール部材は、前記コネクタ本体の前記接合部収納筒部上に前記ケース部材の前記先端筒部が係合する際に、前記接合部収納筒部の外面、前記接合部収納筒部の前記フランジ面、前記先端筒部の内面及び前記凹部の底面で構成された領域に配置され、前記フランジ面及び前記凹部の底面の少なくとも一方から前記シール部材に向けて突出部が延在し、前記シール部材を前記接合部収納筒部の外面と前記先端筒部の内面とで圧縮させることにより気密性を確保することを特徴とするコネクタ付属電気部品。
【発明の詳細な説明】
【技術分野】
【０００１】
本発明は、シール部材を介して２つの部材を接続する用途に用いて好適なシール構造及びそれを備えたコネクタ付属電気部品に関する。
【背景技術】
【０００２】
従来、外界に晒される環境下で使用されるコネクタには、気密性を確保するためにシール構造が採用されている。一般的にシール構造は、図７のように、接続する２つのコネクタの間にシール部材を介在させる構造を採る。すなわち、第１部材２０と第２部材４０は共に筒部を有し、シール部材３０は円環状であって、第１部材２０の筒部外面と第２部材４０の筒部内面の間に介装されて第１部材２０と第２部材４０との間の気密性を確保している。このような気密性確保の構造においては、第１部材２０の筒部外面とシール部材３０の内面との間、あるいは第２部材４０の筒部内面とシール部材３０の外面との間に異物などが付着することによって、気密性が損なわれる。
【０００３】
例えば図７に示されるように、第２部材４０の筒部内面とシール部材３０の外面の間に異物５０が付着した場合、気密性が損なわれているが、気密性を検査するために第２部材４０の外部から第１部材２０の内部に向けて空気圧を印加する(正圧をかける)リーク検査において、シール部材３０が空気圧により押されて、その一端面が第２部材の壁面４０ａに押し付けられることがあり、その状態に至ると、この押し付けられた部分で気密性が確保されてしまい、本来検出されるべき異物５０の付着による第２部材の筒部内面とシール部材３０の外面との間の気密性の破綻が検出できないという事態がたまたま起こってしまう。この状態で気密性に問題がないと判断された製品の使用時において、当該シール部材３０が何らかの原因により反対方向に移動したときに、シール部材３０と第２部材４０の間の気密性、つまりは第１部材２０と第２部材４０との間の気密性が損なわれるという問題がある。
【０００４】
また、第１部材２０の筒部外面とシール部材３０の内面に異物５０が付着して本来気密性が損なわれている場合にも、リーク検査で負圧をかけると、シール部材３０の他方の端部が第１部材２０の壁部２０ａに押し付けられ、上記と同様の不具合が発生する。つまり、リーク検査の際に、シール部材３０の端面部分が一時的な気密保持部として機能し、本来検査されるべきシール部材３０の外面及び内面における気密性が検査できず、検査を通過した製品が気密性不良を起こす可能性がある。なお、このシール構造は、本出願人が先に出願した特願２００５−５３１３９号に記載のシール構造であり、公知のシール構造ではない。
【０００５】
このシール構造の問題点を解消できる構造として、２つの部材を接続する際にシール部材が接続方向に移動しないようにする構造が考えられる（例えば、特許文献１参照）。特許文献１で開示された防水コネクタは、図８に示すように、ダブルロックプレート２０を使用してシーリング（シール部材）３０をコネクタ６０に固定している。この構造によれば、シール部材３０の端面は検査中も検査後も気密性保持の機能を担うことになり、上記のような問題は発生しないと考えられる。
【特許文献１】特開平７−２４０２５３号公報
【発明の開示】
【発明が解決しようとする課題】
【０００６】
しかしながら、上記シール構造においては、別体のダブルロックプレートを必要とし、部品増加、部品を組み立てる工数増加によるコストアップが問題となる。
【０００７】
本発明はかかる点に鑑みてなされたものであり、気密性を検査するためのリーク検査時にシール部材の本来の気密性を検査することができるシール構造及びそれを備えたコネクタ付属電気部品を提供することを目的とする。
【課題を解決するための手段】
【０００８】
本発明のシール構造は、部材本体から突出する筒部及び前記筒部の外側に延在するフランジ面を有する第１部材と、前記フランジ面に当接する先端筒部及び前記先端筒部の内側に形成された凹部を有する第２部材と、前記第１部材の前記筒部上に前記第２部材の前記先端筒部が係合する際に、前記筒部の外面、前記筒部の前記フランジ面、前記先端筒部の内面及び前記凹部の底面で構成された領域に配置されたシール部材と、を具備し、前記フランジ面及び前記凹部の底面の少なくとも一方から前記シール部材に向けて突出部が延在し、前記シール部材を前記筒部の外面と前記先端筒部の内面とで圧縮させることにより気密性を確保することを特徴とする。
【０００９】
この構成によれば、第１部材の筒部の外面、筒部のフランジ面、第２部材の先端筒部の内面及び凹部の底面で構成された領域にシール部材が配置され、フランジ面及び凹部の底面の少なくとも一方からシール部材に向けて突出部が延在しているので、リーク検査において正圧又は負圧が印加された場合において、シール部材が２つの部材のそれぞれの壁面（フランジ面、凹部の底面）側に移動したときに、シール部材が該壁面に当たるのではなく突出部に当接する。このため、リーク検査の際に正圧又は負圧を印加しても、シール部材の側面（端面）での気密性は機能しない。その結果、第１部材の筒部の外面と第２部材の先端筒部の内面との間に挟持されたシール部材の両主面での本来の気密性を検査することができる。すなわち、本発明のシール構造は、シール部材の両側面を固定してシール部材の側面に気密性確保の機能を持たせるのではなく、シール部材の幅方向の移動を許容する一方、シール部材の端面に気密性保持の機能を持たせないようにするので、シール部材の不良を確実に検出することができる。
【００１０】
本発明のシール構造においては、前記フランジ面と前記突出部の先端との間の距離、前記凹部の底面と前記突出部の先端との間の距離、又は前記突出部間の距離は、前記シール部材の幅よりも広いことが好ましい。
【００１１】
本発明のコネクタ付属電気部品は、雄端子と、プリント配線板と、前記雄端子の一方の端部が延在する雄端子収納筒部及び前記雄端子の他方の端部とプリント配線板との間の接合部が内部に位置する接合部収納筒部を備えたコネクタ本体と、前記コネクタ本体の前記接合部収納筒部の外側に配置されたシール部材と、前記シール部材を介して前記接合部収納筒部の外側に取り付けられたケース部材と、を具備するコネクタ付属電気部品であって、前記コネクタ本体は、前記接合部収納筒部の外側に延在するフランジ面を有し、前記ケース部材は、前記フランジ面に当接する先端筒部及び前記先端筒部の内側に形成された凹部を有し、前記シール部材は、前記コネクタ本体の前記接合部収納筒部上に前記ケース部材の前記先端筒部が係合する際に、前記接合部収納筒部の外面、前記接合部収納筒部の前記フランジ面、前記先端筒部の内面及び前記凹部の底面で構成された領域に配置され、前記フランジ面及び前記凹部の底面の少なくとも一方から前記シール部材に向けて突出部が延在し、前記シール部材を前記接合部収納筒部の外面と前記先端筒部の内面とで圧縮させることにより気密性を確保することを特徴とする。
【発明の効果】
【００１２】
本発明のシール構造は、部材本体から突出する筒部及び前記筒部の外側に延在するフランジ面を有する第１部材と、前記フランジ面に当接する先端筒部及び前記先端筒部の内側に形成された凹部を有する第２部材と、前記第１部材の前記筒部上に前記第２部材の前記先端筒部が係合する際に、前記筒部の外面、前記筒部の前記フランジ面、前記先端筒部の内面及び前記凹部の底面で構成された領域に配置されたシール部材と、を具備し、前記フランジ面及び前記凹部の底面の少なくとも一方から前記シール部材に向けて突出部が延在し、前記シール部材を前記筒部の外面と前記先端筒部の内面とで圧縮させることにより気密性を確保するので、気密性を検査するためのリーク検査時にシール部材の本来の気密性を検査することができる。
【発明を実施するための最良の形態】
【００１３】
以下、本発明の実施の形態について添付図面を参照して詳細に説明する。
図１は、本発明の実施の形態に係るコネクタ付属電気部品を示す断面図である。図１に示すコネクタ付属電気部品は、コネクタユニット１と、シール部材３と、第２部材であるケース部材２とから主に構成される。
【００１４】
コネクタユニット１は、プリント配線板５を取り付けた雄端子ブロック１３と、雄端子ブロック１３と結合する第１部材であるコネクタ本体１４とから構成されている。このコネクタ本体１４は、筒部である接合部収納筒部１２と、雄端子収納筒部ｌｌと、雄端子４を挿通可能な穴部１５を有する壁体１６とを有する。また、コネクタ本体１４は、接合部収納筒部１２の外側に係止鍔部１８を有しており、この係止鍔部１８と接合部収納筒部１２との間にケース部材２の先端筒部である周縁部２ａが挿入されるようになっている。そして、係止鍔部１８には、第１係止部であるスナップイン係止部１８ａが形成されている。スナップイン係止部１８ａは、係止鍔部１８の先端に向かって薄くなるようなテーパー形状を有している。また、ケース部材２の周縁部には外側に突出する第２係止部である係止突起２ｂが形成されている。係止突起２ｂは、ケース部材２のコネクタ本体４側と反対側(図１において向かって右側)に向かって高くなるテーパー形状を有している。
【００１５】
図２に示すように、ケース部材２の周縁部２ａを係止鍔部１８と接合部収納筒部１２との間に挿入することにより、係止突起２ｂがスナップイン係止部１８ａにスナップ係止されてコネクタ本体１４とケース部材２とが結合される。すなわち、コネクタユニット１とケース部材２とが結合される。このように、コネクタ本体１４とケース部材２とがスナップ係止により結合されることにより、コネクタ本体１４(コネクタユニット１)とケース部材２とを確実に結合させることが可能となる。本実施の形態においては、コネクタ本体１４側にスナップイン係止部１８ａを設け、ケース部材２側に係止突起２ｂを設けた場合について説明しているが、コネクタ本体１４側に係止突起を設け、ケース部材２側にスナップイン係止部を設けてスナップ係止を実現させるように構成しても良い。なお、図２は、図１におけるＡ側から見た平面図である。
【００１６】
コネクタユニット１とケース部材２とが上記のように結合した状態においては、コネクタユニット１のコネクタ本体１４における接合部収納筒部１２の外周面とケース部材２の周縁部２ａの内周面との間にシール部材３が介在される。シール部材３としては、弾性を有する材料を用いることができる。シール部材３は、幅のあるリング状体であり、リング状体の内面は平坦であり、その外面は断面において二つの山部を並べた形状を有する。このシール部材３によりコネクタユニット１とケース部材２との間をシーリングすることができる。その結果、ケース部材２内に収容されるプリント配線板５を外界の環境から保護することができる。
【００１７】
図３は、本発明の実施の形態に係るコネクタ付属電気部品のコネクタ本体とケース部材とシール部材を示す斜視図である。第１部材であるコネクタ本体１４には、コネクタ本体から突出する接合部収納筒部１２と、接合部収納筒部１２の外側に延在するフランジ面２１とが設けられてり、第２部材であるケース部材２には、両部材２，１４を係合する際にフランジ面２１に当接する先端筒部である周縁部２ａと、周縁部２ａの内側に形成された凹部２ｃとが設けられている。
【００１８】
コネクタ本体１４のフランジ面２１上には、突出部であるリブ２２が設けられている。このリブ２２は、図４に示すように、接合部収納筒部１２の延在する方向に沿って延在している。すなわち、リブ２２は、フランジ面２１からシール部材３に向けて延在している。図４では、上側のリブ２２しか見えてないが下側にも同様にリブ２２があり、各側に４個ずつ所定間隔で配設されている。ここでは、８個のリブ２２を設ける場合について説明しているが、リブ２２の数については特に制限はなく、リブ２２間の間隔についても特に制限はない。
【００１９】
ケース部材２の凹部２ｃの底面２３上にも同様に、突出部であるリブ２４が設けられている。このリブ２４は、周縁部２ａの延在する方向に沿って延在している。すなわち、リブ２４は、底面２３からシール部材３に向けて延在している。図３では、下側のリブ２４しか見えてないが上側にも同様にリブ２４があり、各側に４個ずつ所定間隔で配設されている。ここでは、８個のリブ２４を設ける場合について説明しているが、リブ２４の数については特に制限はなく、リブ２４間の間隔についても特に制限はない。
【００２０】
コネクタ本体１４とケース部材２とを係合させる場合、コネクタ本体１４の接合部収納筒部１２の外面にシール部材３を配置し、その状態でコネクタ本体１４の係止鍔部１８と接合部収納筒部１２との間にケース部材２の周縁部２ａを挿入する。このとき、シール部材３は、接合部収納筒部１２の外面、接合部収納筒部１２のフランジ面２１、周縁部２ａの内面及び凹部２ｃの底面２３で構成された領域に配置される。そして、シール部材３を接合部収納筒部１２の外面と周縁部２ａの内面とで圧縮させることにより気密性を確保する。
【００２１】
このように、コネクタ本体１４とケース部材２とを係合させると、図５に示すような構造となる。このシール構造においては、上述したように、シール部材３を接合部収納筒部１２の外面１２ａと周縁部２ａの内面２ｄとで圧縮させることにより気密性を発揮している。また、コネクタ本体１４側のリブ２２の先端とケース部材２側のリブ２４の先端との間の距離Ｌ１をシール部材３の幅Ｌ２よりも広くしている（Ｌ１＞Ｌ２）。このため、コネクタ本体１４側のリブ２２の先端及びケース部材２側のリブ２４の先端は、シール部材３の側面と接触していない。すなわち、シール部材３の側面が規制されずに、シール部材３が横方向（紙面の左右方向）に摺動可能な状態となっている。
【００２２】
このような構造にすることにより、リーク検査時に正圧と負圧を交互にかけた際にシール部材３が横方向に移動することができる。シール部材３が２つの部材のそれぞれの壁面（フランジ面２１、凹部の底面２ｃ）側に移動したときに、シール部材３が壁面に当たるのではなくリブ２２，２４に当接する。このため、リーク検査の際に正圧又は負圧を印加しても、シール部材３の側面での気密性は機能せず、その結果、コネクタ本体１４の接合部収納筒部の外面１２ａとケース部材２の周縁部２ａの内面２ｄとの間に挟持されたシール部材３の両主面での本来の気密性を検査することができる。
【００２３】
なお、コネクタ本体１４側のリブ２２とケース部材２側のリブ２４は、コネクタユニット１のコネクタ本体１４における接合部収納筒部１２とケース部材２の周縁部２ａを結合させたときに対向する位置に配置することが好ましい。
【００２４】
本実施の形態においては、コネクタ本体１４側のリブ２２の先端とケース部材２側のリブ２４の先端との間の距離をシール部材３の幅よりも広くした場合について説明しているが、本発明においては、リブはコネクタ本体１４側又はケース部材２側の少なくとも一方に設ければ良いので、この場合においては、フランジ面２１とリブ２４の先端との間の距離、又は凹部２ｃの底面２３とリブ２２の先端との間の距離がシール部材３の幅よりも広いことが好ましい。
【００２５】
このように、本実施の形態に係るシール構造は、シール部材３の両側面を固定してシール部材の側面に気密性確保の機能を持たせるのではなく、シール部材の幅方向の移動を許容する一方、シール部材の端面に気密性保持の機能を持たせないようにするので、シール部材３の不良を確実に検出することができる。すなわち、図６に示す矢印方向のエア抜けが起これば、接合部収納筒部１２の外面１２ａとケース部材２の周縁部２ａの内面２ｄとの間の本来の気密性が発揮されていないとして不良とすることができる。
【００２６】
また、本実施の形態に係るコネクタ付属電気部品によれば、コネクタ本体１４のフランジ面２１上でシール部材３に向って延在するリブ２２が配設されるとともに、ケース部材２の凹部２ｃの底面２３上でシール部材３に向って延在するリブ２４が配設されるので、コネクタ本体１４のフランジ面２１とシール部材３の一方の側面との間又はケース部材２の底面２３とシール部材３の他方の側面との間に、リーク検査中も気密性確保の機能を持つことがなく、接合部収納筒部１２の外面１２ａとケース部材２の周縁部２ａの内面２ｄとの間の本来の気密性を検査することができ、異物５０があったとしてもシール部材３の不良を確実に検出することができる。
【００２７】
なお、本実施の形態においては、シール部材３は、断面において２つの山部を有する形状を有しているが、この山部の数については特に制限はない。シール部材３は、相対的に幅が広く、山部の数が多いほど気密性が高まるので好ましい。
【００２８】
本発明は上記実施の形態に限定されず、種々変更して実施することが可能である。例えば、上記実施の形態で説明した数値や部材形状については特に制限はない。また、上記実施の形態においては、本発明のシール構造をコネクタ付属電気部品に用いた場合について説明しているが、本発明は、これに限定されず、シール部材を介して２つの部材を接続する部品などに同様に適用することができる。その他、本発明の目的の範囲を逸脱しない限りにおいて適宜変更することが可能である。
【産業上の利用可能性】
【００２９】
本発明のシール構造は、気密性を検査するためのリーク検査時に本来の気密性の検査を行うことができ、確実な気密性を有するといった効果を有し、シール部材を介して２つの部材を接続する用途への適用が可能である。
【図面の簡単な説明】
【００３０】
【図１】本発明の実施の形態に係るコネクタ付属電気部品を示す断面図である。
【図２】図１におけるＡ側から見た平面図である。
【図３】本発明の実施の形態に係るコネクタ付属電気部品のコネクタ本体とケース部材とシール部材を示す斜視図である。
【図４】本発明の実施の形態に係るコネクタ付属電気部品のコネクタ本体の接合部収納筒部を示す部分斜視図である。
【図５】本発明の実施の形態に係るコネクタ付属電気部品のコネクタ本体の接合部収納筒部とケース部材の周縁部の係合状態における部分断面図である。
【図６】シール部材の加工が不良でエア抜けがあった場合のエア抜け経路を示す図である。
【図７】他の従来例を示す図である。
【図８】コネクタ付属電気部品を示す断面図である。
【符号の説明】
【００３１】
１  コネクタユニット
２  ケース部材（第２部材）
２ａ  周縁部（先端筒部）
２ｂ  係止突起
２ｃ  凹部
２ｄ  内面
３  シール部材
４  雄端子
５  プリント配線板
１１  雄端子収納筒部
１２  接合部収納筒部（筒部）
１２ａ  外面
１３  雄端子ブロック
１４  コネクタ本体（第１部材）
１５  穴部
１６  壁体
１８  係止鍔部
１８ａ  スナップイン係止部
２１  フランジ面
２２，２４  リブ（突出部）
２３  底面
【図１】
2007220420.tif 000003
【図２】
2007220420.tif 000004
【図３】
2007220420.tif 000005
【図４】
2007220420.tif 000006
【図５】
2007220420.tif 000007
【図６】
2007220420.tif 000008
【図７】
2007220420.tif 000009
【図８】
2007220420.tif 000010